(57)【要約】【課題】    本発明は、どこにでも携帯でき簡便でプレイ中随時に使用できるコンパクトな携帯用ゴルフボールクリーナーを提供する。【解決手段】    本体器具Ａの下部のに排口部Ｃ、上部に挿入部Ｂを設け、挿入部Ｂから挿入させたゴルフボールＥを保持するボール保持部ＢＣを設け、本体器具Ａのボール保持部ＢＣにゴルフボールＥを保持するボール保持部ＢＣの内側の清掃部材スペースＦに清掃部材Ｄを接着させる。清掃部材Ｄにブラシを利用する。なお本体器具Ａの部材として軽量金属または合成樹脂等で形成する。【選択図】  図３
2011147695.tif 000002
【特許請求の範囲】
【請求項１】
ゴルフボールを保持可能なボール保持部を形成し、ボール保持部に保持されたゴルフボールを手での回転作業で回転させ清掃部材に接触させる携帯用ゴルフボールクリーナー。
【請求項２】
本体器具のボール保持部内の内側の清掃部材スペース内に接着させる清掃部材はブラシである請求項１記載の携帯用ゴルフボールクリーナー。
【請求項３】
本体器具のボール保持部に保持されたゴルフボールを手での回転作業で、ゴルフボールを清掃部材に接触摩擦させる請求項１または２記載の携帯用ゴルフボールクリーナー。
【発明の詳細な説明】
【技術分野】
【０００１】
本発明はプレイ中においても随時ボールを清掃できるようにした携帯用ゴルフボールクリーナーに関するものである。
【背景技術】
【０００２】
従来はゴルフのプレイ中にボールが汚れた場合はタオル等で拭くしかなく、手間がかかり面倒だったという問題があった。
【先行技術文献】
【特許文献】
【０００３】
【特許文献１】特公昭５１−１０７５号公報
【０００４】
また特公昭５１−１０７５号公報に記載されているようにプレイ中にゴルフボールを随時洗浄できるよう電動カート上に載置し、その電源を利用してボールを自動洗浄するようにした装置が提案されている。
【発明の概要】
【発明が解決しようとする課題】
【０００５】
ゴルファーあるいはキャディーが常時携帯してプレイ中随時に使用できるコンパクトで性能の良い携帯用ゴルフボールクリーナーがあれば従来のようにタオルでボールの汚れを落とすような面倒な作業が要らなくなるし、ゴルフプレイそのものの趣向性も高まることが期待できる。
【０００６】
近年ゴルフ場においてセルフプレイが多くプレイヤー自身でゴルフボールの汚れを落とす面倒な作業が短縮されスムーズなプレイができる。
【０００７】
本発明はどこにでも携帯でき簡便でプレイ中随時に使用できる手のひらサイズの携帯用ゴルフボールクリーナーを提供することを目的とする。
【課題を解決するための手段】
【０００８】
本発明の携帯用ゴルフボールクリーナーはゴルフボールを保持可能なボール保持部を形成し、ボール保持部に保持されたゴルフボールを手での回転作業で回転させボール保持部の清掃部材スペース内に接着させた清掃部材とゴルフボールを接触し摩擦させゴルフボールをきれいにすることを特徴とする。
【０００９】
ここで清掃部材は本体器具のボール保持部の内側の清掃部材スペース内に帯状または扇子状のブラシを接着させる。
【００１０】
本体器具のボール保持部の上部に挿入部、下部に排口部が形成してあり、挿入部の内径より排口部の内径を小さくし、ボール保持部内のゴルフボールが抜け落ちなくする。
【発明の効果】
【００１１】
本発明は以上のように形成され、本体器具は、本体器具の内側に挿入部、排口部、ボール保持部、ボール保持部内の内側に清掃部材スペース、清掃部材スペース内に接着する清掃部材これらを形成するだけのサイズがあればよく全体として手のひらサイズ、かつ軽量で携帯に優れた携帯用ゴルフボールクリーナーを携帯してプレイ中随時に使用することができる。それによりゴルフプレイそのものの趣向性も高まる。
【００１２】
保持したゴルフボールを手での回転作業で回転させ清掃部材スペース内の清掃部材に接触させ回転による摩擦でゴルフボールきれいに磨く。
【図面の簡単な説明】
【００１３】
【図１】本発明の携帯用ゴルフボールクリーナーの垂直面図
【図２】本発明の携帯用ゴルフボールクリーナーの垂直断面図
【図３】本発明の携帯用ゴルフボールクリーナーの真上からの面図
【発明を実施するための形態】
【００１４】
本発明の携帯用ゴルフボールクリーナーにおいて、本体器具は浮輪（ウキワ）状の器具で、器具内に挿入部と排口部、ボール保持部と保持部内の清掃部材スペース内に接着する清掃部材などを形成するだけのサイズがあればよく、全体として手のひらサイズでかつ軽量でゴルファーあるいはキャディーが常時携帯可能なものとすることができる。
【実施例】
【００１５】
以下、本発明の実施例を図面に基づいて説明する。
【００１６】
実施例１  図１及び図２または図３は、本発明の実施例１の携帯用ゴルフボールクリーナーの構造を模式的に示すもので図１は携帯用ゴルフボールクリーナーの垂直面図、図２は同携帯用ゴルフボールクリーナーの垂直断面図、図３は携帯用ゴルフボールクリーナーの真上からの図である。図においてＡは本体器具である。
【００１７】
実施例の携帯用ゴルフボールクリーナーにおいて、本体器具Ａは浮輪（ウキワ）状の器具で、浮輪（ウキワ）状器具の内側の上部に挿入部Ｂ、浮輪（ウキワ）状器具の内側の下部に排口部Ｃで、挿入部Ｂと排口部Ｃの間をボール保持部ＢＣとを形成して、ゴルフボールＥがこのボール保持部ＢＣにゴルフボールＥの２分の１前後を保持できるように形成している。
【００１８】
実施例２  図２、この携帯用ゴルフボールクリーナーにおいて本体器具Ａは浮輪（ウキワ）状の器具で上部の挿入部Ｂおよび下部の排口部Ｃを形成し、挿入部Ｂと排口部Ｃの部位をボール保持部ＢＣとしてボール保持部ＢＣの内側に清掃部材Ｄを接着できるスペース清掃部材スペースＦを形成している。
【００１９】
本体器具Ａは浮輪（ウキワ）状の器具で上部挿入部ＢからゴルフボールＥを挿入させ挿入したゴルフボールＥが排口部Ｃで受け止まり、挿入部Ｂと排口部Ｃとの間がボール保持部ＢＣと成り、ボール保持部ＢＣの内側に清掃部材スペースＦを形成して、清掃部材スペースＦに清掃部材Ｄを接着させた本体器具Ａ携帯用ゴルフボールクリーナーです。
【００２０】
本体器具Ａの清掃部材スペースＦ内に接着させる清掃部材Ｄはブラシでブラシの部材を帯状または扇子状のナイロンブラシにして接着可能とする。
【００２１】
また本体器具Ａの清掃部材スペースＦ内に接着させた清掃部材Ｄはボール保持部ＢＣに保持されたゴルフボールＥの２分の１に接触させ、手での回転作業でゴルフボールＥを磨く。
【００２２】
実施例３  図３は本体器具の上部からの図である。図においてＡは本体器具でありＢは挿入部でこの挿入部からゴルフボールＥを挿入して、Ｃの排口部でゴルフボールＥを受け  止め、本体器具Ａの排口部ＣからゴルフボールＥを抜け落ちなくする。
【００２３】
また上記、本体器具Ａの挿入部Ｂと排口部Ｃの間をボール保持部ＢＣにしてボール保持部ＢＣの内側に清掃部材Ｄを接着させ、ゴルフボールＥに接触させ手での回転作業での摩擦作用でゴルフボールＥを磨く。
【００２４】
なお、上記実施例は一例であって、本発明はこれに限定させるものではなく、清掃部材の材質および構造、配置等様々な実施の態様が可能である。
【符号の説明】
【００２５】
Ａ、本体器具
Ｂ、挿入部
Ｃ、排口部
Ｄ、清掃部材
ＢＣ、ボール保持部
Ｅ、ゴルフボール
Ｆ、清掃部材スペース
【図１】
2011147695.tif 000003
【図２】
2011147695.tif 000004
【図３】
2011147695.tif 000005